【手続補正書】
【提出日】平成28年1月16日(2016.1.16)
【手続補正１】
【補正対象書類名】特許請求の範囲
【補正対象項目名】全文
【補正方法】変更
【補正の内容】
【特許請求の範囲】
【請求項１】
第１の無線通信プロトコルに従って、外部装置の起動状態に基づく情報を前記外部装置と共有する第１の通信手段と、
前記第１の無線通信プロトコルとは異なる第２の無線通信プロトコルに従って前記外部装置との接続を確立する第２の通信手段と、
前記第１の通信手段により共有された前記外部装置の起動状態に基づく情報に応じて、前記第２の通信手段により前記外部装置と接続を確立するためのシーケンスを制御する制御手段とを有し、
前記制御手段は、前記第２の通信手段により前記外部装置と接続を確立するためのシーケンスにおいて、前記起動状態に基づく情報に応じて異なる待機期間だけ接続要求の送信を待つよう前記第２の通信手段を制御することを特徴とする通信装置。
【請求項２】
前記外部装置の起動状態に基づく情報が共有された際に前記第２の通信手段が無効であった場合、前記制御手段は、前記待機期間の経過を待つことなく、前記第２の通信手段を有効にするよう制御することを特徴とする請求項１に記載の通信装置。
【請求項３】
前記制御手段は更に、前記第２の通信手段により前記外部装置と接続を確立するためのシーケンスにおいて、前記接続要求に対する前記外部装置からの応答を待つ時間を、前記共有した起動状態に基づく情報に応じて異ならせるよう制御することを特徴とする請求項１に記載の通信装置。
【請求項４】
前記制御手段は更に、前記第２の通信手段により前記外部装置と接続を確立するためのシーケンスにおいて、前記接続要求に対する前記外部装置からの応答が得られない場合に前記接続要求を再送するよう制御し、
前記接続要求を再送する回数を、前記共有した起動状態に基づく情報に応じて異ならせることを特徴とする請求項１に記載の通信装置。
【請求項５】
前記起動状態に基づく情報は、前記外部装置が電源オフの状態から電源オンの状態に復帰できるか否かを示す情報を含むことを特徴とする請求項１乃至４のいずれか１項に記載の通信装置。
【請求項６】
前記起動状態に基づく情報は、前記外部装置が前記第２の無線通信プロトコルに従った通信を利用できるようになるまでの時間を含むことを特徴とする請求項１乃至４のいずれか１項に記載の通信装置。
【請求項７】
前記起動状態に基づく情報は、前記外部装置が電源オフ状態および電源オン状態のいずれかを示す情報を含むことを特徴とする請求項１乃至４のいずれか１項に記載の通信装置。
【請求項８】
前記電源オンの状態は、前記外部装置のスタンバイ状態および通常状態のいずれかを示す情報を含むことを特徴とする請求項７に記載の通信装置。
【請求項９】
前記第１の通信手段は、前記外部装置に電力を供給することを特徴とする請求項１乃至８のいずれか１項に記載の通信装置。
【請求項１０】
前記第１の通信手段は、前記起動状態が電源オフ状態またはスタンバイ状態の前記外部装置に電源オン処理を開始させることを特徴とする請求項８に記載の通信装置。
【請求項１１】
前記第１の通信手段は、前記外部装置に電力を供給することにより、該電力を用いて前記外部装置を電源オン状態にさせることを特徴とする請求項７に記載の通信装置。
【請求項１２】
前記第２の通信手段を用いた前記第２の通信の接続要求は、前記外部装置が生成するネットワークへの参加要求であることを特徴とする請求項１乃至１１のいずれか１項に記載の通信装置。
【請求項１３】
前記ネットワークは無線ＬＡＮであることを特徴とする請求項１２に記載の通信装置。
【請求項１４】
前記第１の通信手段は、前記第２の通信手段よりも通信距離が短いことを特徴とする請求項１乃至１３のいずれか１項に記載の通信装置。
【請求項１５】
前記第１の通信手段は更に、前記第２の無線通信プロトコルに従った前記外部装置との接続に用いるパラメータを前記外部装置と共有し、
前記制御手段は、前記第１の通信手段により共有されたパラメータを用いて前記第２の無線通信により前記外部装置と接続を確立するよう前記第２の通信手段を制御することを特徴とする請求項１乃至１４のいずれか１項に記載の通信装置。
【請求項１６】
第１の無線通信プロトコルに従って通信する第１の通信手段と、前記第１の無線通信プロトコルとは異なる第２の無線通信プロトコルに従って通信する第２の通信手段とを有する通信装置の制御方法であって、
前記第１の無線通信プロトコルに従って、外部装置の起動状態に基づく情報を前記外部装置と共有する第１の通信ステップと、
前記第１の通信ステップで共有された前記外部装置の起動状態に基づく情報に応じて、前記第２の通信手段を用いて前記外部装置と接続を確立するためのシーケンスを制御する制御ステップとを有し、
前記制御ステップでは、前記シーケンスにおいて、前記起動状態に基づく情報に応じて異なる待機期間だけ接続要求の送信を待つよう制御することを特徴とする通信装置の制御方法。
【請求項１７】
コンピュータを請求項１乃至１５のいずれか１項に記載の通信装置の各手段として機能させるための、コンピュータが読み取り可能なプログラム。
【請求項１８】
情報処理装置であって、
前記情報処理装置の起動状態を判定する制御手段と、
外部装置と無線通信を確立する無線通信手段と、
前記制御手段および前記外部装置からアクセス可能なタグメモリとを有し、
前記起動状態が変化した場合、前記制御手段は、前記変化した起動状態に基づく時間情報を前記タグメモリに書き込み、
前記タグメモリは、前記外部装置からの要求に応じて前記時間情報を出力することを特徴とする情報処理装置。
【請求項１９】
前記タグメモリは、前記情報処理装置と前記外部装置との間の前記無線通信を確立するために用いられる通信パラメータを記録することを特徴とする請求項１８に記載の情報処理装置。
【請求項２０】
前記起動状態は、スタンバイ状態と通常状態とのいずれか一つを含むことを特徴とする請求項１８に記載の情報処理装置。
【請求項２１】
前記起動状態が前記スタンバイ状態になる場合、前記制御手段は、前記起動状態が前記スタンバイ状態になる前に、前記スタンバイ状態に基づく時間情報を前記タグメモリに書き込むことを特徴とする請求項２０に記載の情報処理装置。
【請求項２２】
前記起動状態が前記通常状態になる場合、前記制御手段は、前記起動状態が前記通常状態になった後に、前記通常状態に基づく時間情報を前記タグメモリに書き込むことを特徴とする請求項２０に記載の情報処理装置。
【請求項２３】
前記通常状態に基づく時間情報が示す時間は、前記スタンバイ状態に基づく時間情報が示す時間よりも短いことを特徴とする請求項２０に記載の情報処理装置。
【請求項２４】
前記起動状態が前記スタンバイ状態のときに前記外部装置から前記タグメモリがアクセスされた場合、前記起動状態は前記通常状態になることを特徴とする請求項２０に記載の情報処理装置。
【請求項２５】
前記時間情報は、前記情報処理装置が、前記通信手段を用いて通信できる状態になるまでに必要な時間を示すことを特徴とする請求項１８乃至２４のいずれか１項に記載の情報処理装置。
【請求項２６】
前記タグメモリは前記外部装置から外部電力を受電し、該外部電力を用いて動作することを特徴とする請求項１８乃至２５のいずれか１項に記載の情報処理装置。
【請求項２７】
前記タグメモリは、前記外部装置から、ＮＦＣに従ってアクセスされ得ることを特徴とする請求項１８乃至２６のいずれか１項に記載の情報処理装置。
【請求項２８】
前記通信手段は、無線ＬＡＮプロトコルに従って前記外部装置との無線通信を確立することを特徴とする請求項１８乃至２７のいずれか１項に記載の情報処理装置。
【請求項２９】
制御手段を有し、かつ、前記制御手段および外部装置からアクセス可能なタグメモリを有する情報処理装置の制御方法であって、
前記情報処理装置の起動状態を判定するステップと、
外部装置と無線通信を確立する無線通信ステップと、
前記起動状態が変化した場合、前記変化した起動状態に基づく時間情報を前記タグメモリに書き込むステップと
前記外部装置からの要求に応じて前記時間情報を出力するステップとを有することを特徴とする情報処理装置の制御方法。
【請求項３０】
コンピュータを請求項１８乃至２８のいずれか１項に記載の通信装置の各手段として機能させるための、コンピュータが読み取り可能なプログラム。
【手続補正２】
【補正対象書類名】明細書
【補正対象項目名】０００６
【補正方法】変更
【補正の内容】
【０００６】
本発明に係る通信装置は、第１の無線通信プロトコルに従って、外部装置の起動状態に基づく情報を前記外部装置と共有する第１の通信手段と、前記第１の無線通信プロトコルとは異なる第２の無線通信プロトコルに従って前記外部装置との接続を確立する第２の通信手段と、前記第１の通信手段により共有された前記外部装置の起動状態に基づく情報に応じて、前記第２の通信手段により前記外部装置と接続を確立するためのシーケンスを制御する制御手段とを有し、前記制御手段は、前記第２の通信手段により前記外部装置と接続を確立するためのシーケンスにおいて、前記起動状態に基づく情報に応じて異なる待機期間だけ接続要求の送信を待つよう前記第２の通信手段を制御することを特徴とする。